Podtech/llm-jp-corpus-v4-ja_patent huggingface dataset:
【手続補正書】
【提出日】令和2年10月19日(2020.10.19)
【手続補正１】
【補正対象書類名】特許請求の範囲
【補正対象項目名】全文
【補正方法】変更
【補正の内容】
【特許請求の範囲】
【請求項１】
式：
【化１】
2020500186.tif 000001
（式中、
Ｒ１が−Ｃ（Ｏ）ＸＲ８であり、ＸがＯ又はＮＨであり、且つ、Ｒ８が、Ｃ２〜６のアルキニル、Ｃ２〜６のアルキニルオキシ、もしくは−Ｎ３で置換されていてもよいＣ１〜Ｃ６のアルキルであり、
Ｒ２が、Ｈ、ハロゲン、Ｃ１〜Ｃ６のアルキル、Ｃ１〜Ｃ６のハロアルキル、Ｃ１〜Ｃ６のアルコキシ、又はＣ１〜Ｃ６のハロアルコキシであり、且つ、
Ｒ３がフェニル又はヘテロアリールであり、フェニル又はヘテロアリールが、ハロゲン、Ｃ１〜Ｃ６のアルキル、Ｃ１〜Ｃ６のハロアルキル、Ｃ１〜Ｃ６のアルコキシ、及びＣ１〜Ｃ６のハロアルコキシからなる群から独立して選択される１又は複数の置換基で置換されていてもよい。）
を有する反応性オキサジリジン基を含むＮ転移性酸化剤を、水性環境中でチオエーテル基質と反応させて、結果として生成したスルフィミドを含む共役生成物を形成させることを含む、化学選択的な共役の方法。
【請求項２】
Ｒ１が−Ｃ（Ｏ）ＸＲ８であり、ＸがＯ又はＮＨであり、且つ、Ｒ８が、Ｃ２〜６のアルキニル、Ｃ２〜６のアルキニルオキシ、又は−Ｎ３で置換されていてもよいＣ１〜Ｃ６のアルキルであり、Ｒ２がＨ、Ｃ１〜Ｃ６のアルキル、又はＣ１〜Ｃ６のハロアルキルであり、且つ、Ｒ３がフェニルである、請求項１に記載の方法。
【請求項３】
前記チオエーテル基質がメチオニンまたはペプチド、ポリペプチド、もしくはタンパク質中のメチオニン残基である、請求項１または２に記載の方法。
【請求項４】
前記タンパク質が、酵素、抗原タンパク質、ケモカイン、サイトカイン、細胞受容体、細胞受容体のリガンド、又は抗体もしくはその活性断片である、請求項３に記載の方法。
【請求項５】
水性環境中でメチオニンを含有するペプチド、ポリペプチド又はタンパク質をオキサジリジンと接触させることを含み、前記オキサジリジンが、前記ペプチド、ポリペプチド、又はタンパク質の少なくとも１つのメチオニンを対応するスルフィミド共役生成物に変換することにより、前記ペプチド、ポリペプチド、又はタンパク質を直接的に機能化する、請求項３または４に記載の方法。
【請求項６】
細胞培養中のアミノ酸を用いる安定同位体標識（ＳＩＬＡＣ）又は同位体コードアフィニティータグ（ＩＣＡＴ）と組み合わせられた、請求項３〜５のいずれかに記載の方法。
【請求項７】
請求項１〜６のいずれか一項に記載の方法で得られる式ＩＩＩａ：
【化２】
2020500186.tif 000002
（式中、Ｐは、メチオニンの硫黄とのスルフィミド結合を介して指し示した窒素に連結されたポリペプチド又はタンパク質を表し、前記ポリペプチド又はタンパク質は、ｎ個のスルフィミド修飾されたメチオニン残基を有し、ｎは１〜２０であり、且つ、ＸはＯ又はＮＨであり、且つ、Ｒ８は、Ｃ２〜６のアルキニル、Ｃ２〜６のアルキニルオキシ、又は−Ｎ３で置換されていてもよいＣ１〜Ｃ６のアルキルである。）の化合物、または
請求項１〜６のいずれか一項に記載の方法で得られる式ＩＶａ：
【化３】
2020500186.tif 000003
（式中、Ｐは、メチオニンの硫黄とのスルフィミド結合を介して指し示した窒素に連結されたポリペプチド又はタンパク質を表し、前記ポリペプチド又はタンパク質は、ｎ個のスルフィミド修飾されたメチオニン残基を有し、ｎは１〜２０であり、ＸはＯ又はＮＨであり、Ｌはリンカー部分であり、且つ、Ｒ９は活性部分である。）のペプチド、ポリペプチド又はタンパク質コンジュゲート。
【請求項８】
前記活性部分が、小分子製剤、ＤＮＡ、ＲＮＡ、脂質、糖、ポリペプチド、タンパク質、検出可能な標識、ポリ（アルキレン酸化物）部分、スルフヒドリル特異的機能性部分、アミン特異的機能性部分、非選択的反応性部分、又はアルギニン特異的機能性部分である、請求項７に記載の式ＩＶａのペプチド、ポリペプチド又はタンパク質コンジュゲート。
【請求項９】
Ｐが、酵素、抗原タンパク質、ケモカイン、サイトカイン、細胞受容体、細胞受容体のリガンド、又は抗体もしくはその活性断片である、請求項７又は８に記載の式ＩＶａのペプチド、ポリペプチド又はタンパク質コンジュゲート。
【手続補正書】
【提出日】令和2年8月5日(2020.8.5)
【手続補正１】
【補正対象書類名】特許請求の範囲
【補正対象項目名】請求項１
【補正方法】変更
【補正の内容】
【請求項１】
気体混合物からの気体の透過分離のためのメンブレンチューブ要素（１０，１０’）であって、
多孔性で気体透過性の金属のチューブ形状の担体基材（１２）を有するメンブレンチューブセクション（１１）であって、前記担体基材上に周回して、前記分離されるべき気体に対して選択的に透過性のメンブレン（１３）が取り付けられている、メンブレンチューブセクション（１１）と、
少なくとも表面が気密な少なくとも２つの連結部（１４，１４’）と、
を備え、
前記チューブ形状の担体基材（１２）は、端面側でそれぞれ１つの連結部（１４，１４’）と結合されており、
少なくとも１つのスペーサ（１５；１５’；１５”）が少なくとも１つの連結部（１４，１４’）の領域に配設されており、前記スペーサは、径方向で前記メンブレン（１３）の上に突出している、
ことを特徴とするメンブレンチューブ要素。
【手続補正２】
【補正対象書類名】特許請求の範囲
【補正対象項目名】請求項５
【補正方法】変更
【補正の内容】
【請求項５】
前記スペーサ（１５；１５’；１５”）が、材質接合又は形状接合で、前記連結セクション（２１）と結合されていることを特徴とする請求項２〜４のいずれか１項に記載のメンブレンチューブ（２０）。
【手続補正書】
【提出日】令和2年9月10日(2020.9.10)
【手続補正１】
【補正対象書類名】特許請求の範囲
【補正対象項目名】全文
【補正方法】変更
【補正の内容】
【特許請求の範囲】
【請求項１】
１種類以上のロジン；
１種類以上の多価アルコール；及び
１種類以上の多価カルボン酸
から誘導されるオリゴエステル組成物であって；
前記多価カルボン酸のうちの少なくとも１種類が、５〜１９個の炭素原子を有し、オリゴエステル組成物が、７ｍｇ  ＫＯＨ／ｇ〜４０ｍｇ  ＫＯＨ／ｇのヒドロキシル価を有する、
オリゴエステル組成物。
【請求項２】
多価カルボン酸のうちの少なくとも１種類が、脂肪族多価カルボン酸である、請求項１に記載のオリゴエステル組成物。
【請求項３】
脂肪族ジカルボン酸が少なくとも１種類の脂環式の多価カルボン酸を含む、請求項２に記載のオリゴエステル組成物。
【請求項４】
請求項１〜３のいずれか一項に記載のオリゴエステル組成物であって、前記オリゴエステル組成物の調製のための混合物中に存在している全反応体の重量に対して約０．０１重量％〜約１５重量％の脂環式の多価カルボン酸から誘導され、
脂環式の多価カルボン酸が、脂環式のジカルボン酸であり、
前記脂環式のジカルボン酸の分子式において水素原子の数が炭素原子の数より多い、オリゴエステル組成物。
【請求項５】
多価カルボン酸の平均炭素原子数と多価カルボン酸の平均回転可能結合数の比が１．５より大きく、
脂環式の多価カルボン酸の平均炭素原子数と前記脂環式の多価カルボン酸の平均回転可能結合数の比が３より大きい、請求項１〜３のいずれか一項に記載のオリゴエステル組成物。
【請求項６】
１種類以上の多価カルボン酸が、オリゴエステル組成物の調製のための混合物中に、全反応体の重量に対して２重量％〜７重量％の量で存在している、請求項１又は２に記載のオリゴエステル組成物。
【請求項７】
多価カルボン酸が、シクロプロパン、シクロブタン、シクロペンタン、シクロペンテン、シクロヘキサン、シクロヘキセン、シクロヘプタン、シクロヘプテン、シクロオクタン、シクロオクテン、ノルボルネン又はノルボルナン親環系から誘導される脂環式のジカルボン酸を含み、
多価カルボン酸が、ショウノウ酸、ｃｉｓ−ノルボルネン−ｅｎｄｏ−２，３−カルボン酸、ｃｉｓ−ノルボルナン−ｅｎｄｏ−２，３−カルボン酸、１，２−シクロヘキサンジカルボン酸、１，３−シクロヘキサンジカルボン酸又は１，４−シクロヘキサンジカルボン酸から選択される脂環式のジカルボン酸を含む、請求項１又は２に記載のオリゴエステル組成物。
【請求項８】
１５０℃で１，２００ｍＰａ．ｓ〜１０，０００ｍＰａ．ｓの粘度を有する、又は２００℃で９０ｍＰａ．ｓ〜１，０００ｍＰａ．ｓの粘度を有する、請求項１〜３のいずれか一項に記載のオリゴエステル組成物。
【請求項９】
約８００ｇ／ｍｏｌ〜約１，５００ｇ／ｍｏｌの数平均分子量（Ｍｎ）を有する、請求項１〜３のいずれか一項に記載のオリゴエステル組成物。
【請求項１０】
多価アルコールが、エチレングリコール、プロピレングリコール、ジエチレングリコール、トリエチレングリコール、テトラエチレングリコール、ネオペンチルグリコール、トリメチレングリコール、グリセロール、トリメチロールプロパン、トリメチロールエタン、ペンタエリスリトール、工業用グレードのペンタエリスリトール、ジペンタエリスリトール、トリペンタエリスリトール、１，４−シクロヘキサンジオール、ポリグリセロール、工業用グレードのポリグリセロール、ポリグリセロール−３、ポリグリセロール−４、シクロヘキサン−１，４−ジメタノール、トリシクロ［５．２．１．０（２．６）］デカン−４，８−ジメタノール、水素化ビスフェノールＡ（４，４’−イソプロピリデンジシクロヘキサノール）、マンニトール、ソルビトール、キシリトール、マルチトール、ラクチトール又はその組合せを含む、請求項１〜３のいずれか一項に記載のオリゴエステル組成物。
【請求項１１】
請求項１〜３のいずれか一項に記載のオリゴエステル組成物を含む組成物であって
ａ）前記オリゴエステル組成物が、前記組成物の総重量に対して、請求項１に記載のオリゴエステル組成物の１重量％〜６０重量％の量で存在しており、
ここで、多価カルボン酸のうちの少なくとも１種類は脂環式の多価カルボン酸であり、
前記多価カルボン酸は、前記オリゴエステル組成物の調製のための混合物中に、全反応体の重量に対してゼロより多く約１５重量％までの量で存在している；及び
ｂ）前記組成物の総重量に対して１重量％〜６０重量％のポリマー又はポリマーブレンド、
組成物。
【請求項１２】
請求項１〜３のいずれか一項に記載のオリゴエステル組成物を含む熱可塑性の路面標示用組成物であって、
ａ）前記オリゴエステル組成物が、前記熱可塑性の路面標示用組成物の総重量に対して５重量％〜３０重量％の量で存在しており、
ここで、ジカルボン酸のうちの少なくとも１種類は、５〜１９個の炭素原子を有する脂環式のジカルボン酸であり、
前記１種類以上のジカルボン酸は、前記オリゴエステル組成物の調製のための混合物中に、全反応体の重量に対してゼロより多く約１５重量％までの量で存在しており、
前記ジカルボン酸の分子式において水素原子の数が炭素原子の数より多い；及び
ｂ）前記熱可塑性の路面標示用組成物の総重量に対して２０重量％までのポリマー、
熱可塑性の路面標示用組成物。
【請求項１３】
請求項１〜３のいずれか一項に記載のオリゴエステル組成物を含む接着剤組成物であって
ａ）前記接着剤組成物の総重量に対して１０重量％〜６０重量％までのポリマー；及び
ｂ）前記オリゴエステル組成物が、前記接着剤組成物の総重量に対して５重量％〜６０重量％の量で存在しており、
ここで、ジカルボン酸のうちの少なくとも１種類は、５〜１９個の炭素原子を有する脂環式のジカルボン酸であり、
前記１種類以上のジカルボン酸は、前記オリゴエステル組成物の調製のための混合物中に、全反応体の重量に対してゼロより多く約１５重量％までの量で存在しており、
前記ジカルボン酸の分子式において水素原子の数が炭素原子の数より多い、
接着剤組成物。
【請求項１４】
請求項１に記載のオリゴエステル組成物を含み：
ａ）ゴム高分子、又はスチレンと、イソプレン及びブタジエンからなる群より選択される１種類以上のモノマーから誘導されるコポリマー、
ｂ）フィラー
をさらに含むタイヤトレッド組成物であって；
前記オリゴエステル組成物が、１００重量部の前記ゴム高分子に対して５〜７０部重量部の量で存在しており、
多価カルボン酸のうちの少なくとも１種類がジカルボン酸であり、
１種類以上のジカルボン酸が、前記オリゴエステル組成物の調製のための混合物中に、全反応体の重量に対してゼロより多く約１５重量％までの量で存在しており、前記ジカルボン酸の分子式において水素原子の数が炭素原子の数より多い、
タイヤトレッド組成物。
【請求項１５】
１種類以上のロジン及び１種類以上の多価カルボン酸を１種類以上の多価アルコールと少なくとも１５０℃の温度で接触させて反応混合物を生成させること、ここで、前記多価カルボン酸のうちの少なくとも１種類は、５〜１９個の炭素原子を有する脂環式の多価カルボン酸である；並びに
前記反応混合物を、最高温度３００℃にて、エステル化触媒の非存在下又は存在下、及び不均化触媒の存在下又は非存在下で、エステル化すること
を含む、オリゴエステル組成物の製造方法。
【手続補正書】
【提出日】令和2年8月28日(2020.8.28)
【手続補正１】
【補正対象書類名】特許請求の範囲
【補正対象項目名】全文
【補正方法】変更
【補正の内容】
【特許請求の範囲】
【請求項１】
ａ）多孔質基材と、
ｂ）前記多孔質基材に共有結合された、炭化水素主鎖及び前記炭化水素主鎖に結合された複数のペンダント基を含むコポリマーと、
を含み、
１）第１の複数のペンダント基のそれぞれが、
（ａ）少なくとも１つの酸性基又はその塩と、
（ｂ）前記少なくとも１つの酸性基又はその塩を、連結された原子少なくとも６個の鎖によって、前記炭化水素主鎖に直接連結させているスペーサー基と、
を含み、
２）第２の複数のペンダント基のそれぞれが、
（ａ）少なくとも１つの酸性基又はその塩と、
（ｂ）前記少なくとも１つの酸性基又はその塩を、連結された原子少なくとも６個の鎖によって、前記炭化水素主鎖に直接連結させているスペーサー基と、
を含み、
前記第１の複数のペンダント基が、前記第２の複数のペンダント基とは異なり、
前記第２の複数のペンダント基に対する前記第１の複数のペンダント基のモル比が、９５：５〜５：９５の範囲である、物品。
【請求項２】
前記多孔質基材に共有結合された前記コポリマーが、
１）
（ａ）少なくとも１つのエチレン性不飽和基と、
（ｂ）少なくとも１つの酸性基又はその塩と、
（ｃ）前記少なくとも１つのエチレン性不飽和基と、前記少なくとも１つの酸性基又はその塩とを、連結された原子少なくとも６個の鎖によって、直接連結させているスペーサー基と、
を含む第１のモノマーと、
２）
（ａ）少なくとも１つのエチレン性不飽和基と、
（ｂ）少なくとも１つの酸性基又はその塩と、
（ｃ）前記少なくとも１つのエチレン性不飽和基と、前記少なくとも１つの酸性基又はその塩とを、連結された原子少なくとも６個の鎖によって、直接連結させているスペーサー基と、
を含む第２のモノマーと、
を含むモノマー組成物の反応生成物を含み、
前記第２のモノマーが、前記第１のモノマーとは異なり、
前記第２のモノマーに対する前記第１のモノマーのモル比が、９５：５〜５：９５の範囲である、請求項１に記載の物品。
【請求項３】
前記多孔質基材に共有結合された前記コポリマーの前記少なくとも１つの酸性基又はその塩が、濾材１グラム当たり少なくとも０．０１ｍｍｏｌｅ且つ最大０．６ｍｍｏｌｅの密度で存在する、請求項１に記載の物品。
【請求項４】
前記第１のモノマー及び前記第２のモノマーが、以下の一般式：
ＣＨ２＝ＣＲ１−Ｃ（＝Ｏ）−Ｘ−Ｒ２−［Ｚ−Ｒ２］ｎ−Ｌ      （Ｉ）
［式中、
Ｒ１は、水素、アルキル基、シクロアルキル基、アリール基、及びこれらの組み合わせから選択され、
各Ｒ２は、ヒドロカルビレン基、ヘテロヒドロカルビレン基、及びこれらの組み合わせから独立して選択され、
Ｘは、−Ｏ−又は−ＮＲ３−（式中、Ｒ３は、水素、ヒドロカルビル基、ヘテロヒドロカルビル基、及びこれらの組み合わせから選択される）であり、
Ｚは、少なくとも１つの水素結合供与体、少なくとも１つの水素結合受容体、又はこれらの組み合わせを含むヘテロヒドロカルビレン基であり、
ｎは、０又は１の整数であり、
Ｌは、少なくとも１つの酸性基又はその塩を含む官能基である］によって表される種類のうちのいずれか１つである、請求項２に記載の物品。
【請求項５】
接触面を有するフィルタ要素である、請求項１に記載の物品。
【請求項６】
生物学的溶液中のモノマータンパク質から凝集タンパク質を分離するためのプロセスであって、
接触面を有する少なくとも１つのフィルタ要素［ここで、前記フィルタ要素は濾材を含み、前記濾材は、
ａ）多孔質基材と、
ｂ）前記多孔質基材に共有結合されたコポリマーと、
を含み、前記コポリマーは、炭化水素主鎖、及び前記炭化水素主鎖に結合された複数のペンダント基を含み、
１）第１の複数のペンダント基のそれぞれは、
（ａ）少なくとも１つの酸性基又はその塩と、
（ｂ）前記少なくとも１つの酸性基又はその塩を、連結された原子少なくとも６個の鎖によって、前記炭化水素主鎖に直接連結させているスペーサー基と、
を含み、
２）第２の複数のペンダント基のそれぞれは、
（ａ）少なくとも１つの酸性基又はその塩と、
（ｂ）前記少なくとも１つの酸性基又はその塩を、連結された原子少なくとも６個の鎖によって、前記炭化水素主鎖に直接連結させているスペーサー基と、
を含み、
前記第１の複数のペンダント基は、前記第２の複数のペンダント基とは異なり、
前記第２の複数のペンダント基に対する前記第１の複数のペンダント基のモル比は、９５：５〜５：９５の範囲である］を準備することと、
前記モノマータンパク質から前記凝集タンパク質を分離するのに有効な条件下で、初期の生物学的溶液を前記フィルタ要素の前記接触面に接触させて、最終的な生物学的溶液が精製されたモノマータンパク質を含むようすることと、
を含む、プロセス。
【手続補正書】
【提出日】令和2年11月6日(2020.11.6)
【手続補正１】
【補正対象書類名】特許請求の範囲
【補正対象項目名】全文
【補正方法】変更
【補正の内容】
【特許請求の範囲】
【請求項１】
式（ＭＢ）（ＴＡ）3-2x（ＴＣ）1+2xＯ4-4xＮ4x：Ｅ
［式中、
ＴＡは、Ｌｉ、Ｎａ、Ｃｕ、Ａｇおよびそれらの組み合わせを含む一価の金属の群から選択され、
ＭＢは、Ｍｇ、Ｃａ、Ｓｒ、Ｂａ、Ｚｎおよびそれらの組み合わせを含む二価の金属の群から選択され、
ＴＣは、Ｂ、Ａｌ、Ｇａ、Ｉｎ、Ｙ、Ｆｅ、Ｃｒ、Ｓｃ、希土類金属およびそれらの組み合わせを含む三価の金属の群から選択され、
Ｅは、Ｅｕ、Ｍｎ、Ｃｅ、Ｙｂおよびそれらの組み合わせを含む群から選択され、且つ
０＜ｘ＜０．８７５である］
を有する蛍光体。
【請求項２】
式（ＭＢ）Ｌｉ3-2xＡｌ1+2xＯ4-4xＮ4x：Ｅ
［式中、
ＭＢは、Ｍｇ、Ｃａ、Ｓｒ、Ｂａ、Ｚｎおよびそれらの組み合わせを含む二価の金属の群から選択され、
Ｅは、Ｅｕ、Ｍｎ、Ｃｅ、Ｙｂおよびそれらの組み合わせを含む群から選択され、且つ
０＜ｘ＜０．８７５である］
を有する蛍光体。
【請求項３】
正方晶系の空間群Ｐ４2／ｍで結晶化する、請求項１または２に記載の蛍光体。
【請求項４】
ｘ＝０．５であり、前記蛍光体が式（ＭＢ）Ｌｉ2Ａｌ2Ｏ2Ｎ2：Ｅ
［式中、
ＭＢは、Ｍｇ、Ｃａ、Ｓｒ、Ｂａ、Ｚｎまたはそれらの組み合わせを含む二価の金属の群から選択され、且つ
Ｅは、Ｅｕ、Ｍｎ、Ｃｅ、Ｙｂおよびそれらの組み合わせを含む群から選択される］
を有する、請求項１から３までのいずれか１項に記載の蛍光体。
【請求項５】
赤色のスペクトル範囲の電磁的な光を発する、請求項１から４までのいずれか１項に記載の蛍光体。
【請求項６】
最大ピーク波長６１４ｎｍ±１０ｎｍおよび／または半値幅６０ｎｍ未満を有する発光スペクトルを有する、請求項１から５までのいずれか１項に記載の蛍光体。
【請求項７】
前記半値幅が５５ｎｍ未満である、請求項６に記載の蛍光体。
【請求項８】
ＵＣｒ4Ｃ4型の結晶構造では結晶化しない、請求項１から７までのいずれか１項に記載の蛍光体。
【請求項９】
ＭＢが、Ｃａ、Ｓｒ、Ｂａまたはそれらの組み合わせである、請求項１から８までのいずれか１項に記載の蛍光体。
【請求項１０】
ＭＢが、Ｓｒである、請求項１から９までのいずれか１項に記載の蛍光体。
【請求項１１】
Ｅが、Ｅｕである、請求項１から１０までのいずれか１項に記載の蛍光体。
【請求項１２】
少なくともＵＶおよび／または青色のスペクトル範囲からの光で励起可能である、請求項１から１１までのいずれか１項に記載の蛍光体。
【請求項１３】
請求項１から１２までのいずれか１項に記載の蛍光体を含む照明装置。
【請求項１４】
・  電磁的な一次光を発するように構成されている半導体積層構造、
・  蛍光体を含み且つ前記電磁的な一次光を少なくとも部分的に電磁的な二次光に変換する変換要素
を有する、請求項１３に記載の照明装置。
【請求項１５】
前記蛍光体が前記電磁的な一次光を電磁的な二次光に完全に変換して、照明装置の全体的な光が赤色の波長範囲から選択される、請求項１３または１４に記載の照明装置。
【請求項１６】
前記変換要素が、緑色のスペクトル範囲からの光を発するように構成されている第２の蛍光体、および赤色のスペクトル範囲からの光を発するように構成されている第３の蛍光体を含む、請求項１３または１４に記載の照明装置。
【請求項１７】
自動車用のライトとして形成されている、請求項１３から１６までのいずれか１項に記載の照明装置。
【請求項１８】
前記照明装置の全体的な光が白色の混合光である、請求項１３から１７までのいずれか１項に記載の照明装置。
【請求項１９】
表示装置のバックライトとしての請求項１３から１６までのいずれか１項または請求項１８に記載の照明装置の使用。
【手続補正書】
【提出日】令和2年9月18日(2020.9.18)
【手続補正１】
【補正対象書類名】特許請求の範囲
【補正対象項目名】全文
【補正方法】変更
【補正の内容】
【特許請求の範囲】
【請求項１】
少なくとも下記の成分をベースとするゴム組成物：
−少なくとも１種のイソプレンエラストマーを主に含むジエンエラストマー；
−下記の成分を含む補強用充填剤：
・エラストマー100質量部当たり10〜35質量部（10〜35phr）の、70m2/g未満のBET比表面積を有するカーボンブラック、および
・10〜40phrのシリカ；
−シリカ質量に対して５質量%〜15質量%の範囲に相当する含有量のカップリング剤；
−架橋系；ならびに
−ステアリン酸またはその塩；
ここで、カーボンブラックとシリカの合計含有量は20phrと70phrの間であり、かつシリカに対するカーボンブラックの質量比は0.3よりも大きく、かつステアリン酸またはその塩の含有量が、0.5〜１phrの範囲内である。
【請求項２】
前記カーボンブラックが、50m2/g未満のBET比表面積、好ましくは32〜49m2/gの範囲内のBET比表面積を有する、請求項１記載のゴム組成物。
【請求項３】
前記シリカが200m2/g未満のBET比表面積および/または220m2/g未満のCTAB比表面積、好ましくは125〜200m2/gの範囲内のBET比表面積および/または140〜170m2/gの範囲内のCTAB比表面積を有する、請求項１または２記載のゴム組成物。
【請求項４】
前記シリカに対するカーボンブラックの質量比が、0.3〜1.5、好ましくは0.6〜1.4の範囲内である、請求項１〜３のいずれか１項記載のゴム組成物。
【請求項５】
アルカリ土類金属、アルカリ金属またはランタニド金属の塩を含む、請求項１〜４のいずれか１項記載のゴム組成物。
【請求項６】
さらにコバルト塩を含有する、請求項１〜５のいずれか１項記載のゴム組成物。
【請求項７】
II族、IV族、V族、VI族、VII族およびVIII族金属の酸化物、およびそれらの混合物からなる群から選択される金属酸化物をさらに含む、請求項１〜６のいずれか１項記載のゴム組成物。
【請求項８】
金属酸化物含有量が、２〜20phr、好ましくは６〜10phrの範囲内である、請求項７記載のゴム組成物。
【請求項９】
請求項１〜８のいずれか１項記載のゴム組成物を含む完成品または半完成品のゴム製品。
【請求項１０】
請求項１〜８のいずれか１項記載のゴム組成物を含むタイヤ。
【手続補正書】
【提出日】令和2年8月20日(2020.8.20)
【手続補正１】
【補正対象書類名】特許請求の範囲
【補正対象項目名】全文
【補正方法】変更
【補正の内容】
【特許請求の範囲】
【請求項１】
架橋性組成物であって、
１）５０，０００〜５００，０００ダルトンの範囲内の重量平均分子量を有する第１の（メタ）アクリレートポリマーであって、前記第１の（メタ）アクリレートポリマーは、
ａ）アルキル（メタ）アクリレート、及び
ｂ）任意の、紫外線に曝露された時に架橋可能となる芳香族ケトン基を有するＵＶ架橋性モノマーを含む第１のモノマー組成物の反応生成物であり、前記ＵＶ架橋性モノマーは、前記第１のモノマー組成物中のモノマーの総モルに基づき０〜０．３モルパーセントの範囲内の量で存在する、第１の（メタ）アクリレートポリマーと、
２）５０，０００〜５００，０００ダルトンの範囲内の重量平均分子量を有する第２の（メタ）アクリレートポリマーであって、前記第２の（メタ）アクリレートポリマーは、
ａ）アルキル（メタ）アクリレート、及び
ｂ）紫外線に曝露された時に架橋可能となる芳香族ケトン基を有するＵＶ架橋性モノマーを含む第２のモノマー組成物の反応生成物であり、前記ＵＶ架橋性モノマーは、前記第２のモノマー組成物中のモノマーの総モルに基づき少なくとも１モルパーセントに等しい量で存在する、第２の（メタ）アクリレートポリマーと、
を含み、
前記架橋性組成物は、粘着付与剤を含まないか、又は実質的に含まない、架橋性組成物。
【請求項２】
前記架橋性組成物中の（メタ）アクリレートポリマーの総重量に基づき、前記第１の（メタ）アクリレートポリマーが８０〜９８重量パーセントの範囲内の量で存在し、前記第２の（メタ）アクリレートポリマーが２〜２０重量パーセントの範囲内の量で存在する、請求項１に記載の架橋性組成物。
【請求項３】
紫外線に曝露された請求項１に記載の架橋性組成物の反応生成物を含む架橋された組成物。
【手続補正２】
【補正対象書類名】明細書
【補正対象項目名】０１５５
【補正方法】変更
【補正の内容】
【０１５５】
試験対象の試験片を、接着剤側を上にして、作業面上に配置する。試験片は、傾斜台が試験片の上方に配置された後に、少なくとも１２インチ（３００ｍｍ）のテープが露出するように位置付けられる。傾斜台の反対側に位置する試験片の端部は、テープによって作業面に保持される。清浄で乾燥したトングを用いて、５．６グラムのボールを傾斜台の最上部におけるリリースピンの上側に配置する。ボールの中心から作業面までの鉛直距離は２．７５インチ（７０ｍｍ）である。リリースピンを押し下げることによって、ボールは解放されて傾斜台を滑り降り、ボールが接着剤表面上を転がって停止することが可能となる。ボールが最初に接着剤と接触する場所から、ボールが停止する地点までの距離を測定する。
【手続補正書】
【提出日】令和2年11月12日(2020.11.12)
【手続補正１】
【補正対象書類名】特許請求の範囲
【補正対象項目名】全文
【補正方法】変更
【補正の内容】
【特許請求の範囲】
【請求項１】
ヒドロキシル官能基を有し、約４μｍ未満の平均粗さＲａを有する基材の平滑表面上のコーティングであって、前記コーティングは、ヒドロキシル官能基を有する前記基材の表面上に重合されたシラン化層、および前記シラン化層上に配置された潤滑剤層を含み、前記潤滑剤層は、ペルフルオロ油またはシリコーン油または鉱油または植物油またはその任意の組合せである、コーティング。
【請求項２】
前記表面が、約５００ｎｍ未満の平均粗さＲａを有する、請求項１に記載のコーティング。
【請求項３】
前記表面が、約１００ｎｍ未満の平均粗さＲａを有する、請求項１に記載のコーティング。
【請求項４】
前記シラン化層が、ポリジメチルシロキサンである、請求項１から３のいずれか一項に記載のコーティング。
【請求項５】
請求項１から４のいずれか一項に記載のコーティングを備える、便器または男性用小便器。
【請求項６】
請求項１から４のいずれか一項に記載のコーティングを備える、ガラス製の窓。
【請求項７】
請求項１から６のいずれか一項に記載のコーティングを使用する方法であって、前記コーティングに水性流体を塗布して、その上の固体または液体を取り除くステップを含む、方法。
【請求項８】
前記シラン化層に、前記潤滑剤を再度塗布する、または異なる潤滑剤を再度塗布するステップをさらに含む、請求項７に記載の方法。
【請求項９】
粘弾性物質を処理する方法であって、請求項１から６のいずれか一項に記載のコーティングに粘弾性物質を接触させるステップと、続いて前記コーティング上の前記粘弾性物質に水性流体を塗布して、前記コーティングから前記粘弾性物質を取り除くステップとを含む、方法。
【請求項１０】
撥性表面を調製する方法であって、
前記表面にコーティング組成物を塗布するステップであって、前記コーティング組成物が、（ｉ）重合性シランもしくはシロキサンまたは両方、（ｉｉ）溶媒、および（ｉｉｉ）酸触媒を含むステップと、
前記表面に塗布されたコーティング組成物の（ｉ）重合性シランもしくはシロキサンまたは両方を重合して前記表面上に化学層を形成するステップと、
前記化学層に潤滑剤を塗布するステップと、を含む、方法。
【請求項１１】
前記化学層に、前記潤滑剤を再度塗布する、または異なる潤滑剤を再度塗布するステップをさらに含む、請求項１０に記載の方法。
【請求項１２】
前記酸触媒は、硫酸または塩酸を含む、請求項１０に記載の方法。
【請求項１３】
前記シランもしくはシロキサンまたは両方を０℃〜６０℃の温度かつ１０分未満で重合して、重合されたシランもしくはシロキサンまたは両方を前記平滑表面上の化学層として固定することを含む、請求項１０に記載の方法。
【請求項１４】
前記表面は、ガラス、シリコン、セラミック、陶磁器、磁器、およびある種の金属から選択される、請求項１０に記載の方法。
【請求項１５】
ジメチルジメトキシシランを重合して、前記ジメチルジメトキシシランを前記平滑表面上に前記化学層として固定するステップ、および、シリコーン油を前記化学層に粘着した潤滑剤コーティングとして粘着させるステップを含む、請求項１０に記載の方法。
【手続補正２】
【補正対象書類名】明細書
【補正対象項目名】０１０７
【補正方法】変更
【補正の内容】
【０１０７】
本発明の好ましい実施形態、および本発明の多様性である実施例のみを、本開示で示し、説明する。本発明は、様々な他の組合せおよび環境を用いることができ、本明細書で表された、本発明の概念の範囲内で、変更および改変が可能であることを理解されたい。したがって、例えば、当分野の技術者は、単なる日常的な実験を用いて、本明細書に記載の、特定の物質、手順、および装置の、多くの均等物を認識し、または確認することができるであろう。こうした均等物は、本発明の範囲内にあると考えられ、以下の特許請求の範囲に含まれる。
本発明は次の実施態様を含む。
［請求項１］
基材の平滑表面上のコーティングであって、前記表面上の化学層、および前記化学層を覆う潤滑剤層を含み、前記表面が、約４μｍ未満の平均粗さＲａを有する、コーティング。
［請求項２］
前記表面が、約５００ｎｍ未満の平均粗さＲａを有する、請求項１に記載のコーティング。
［請求項３］
前記表面が、約１００ｎｍ未満の平均粗さＲａを有する、請求項１に記載のコーティング。
［請求項４］
前記化学層が、シランまたはシロキサンから形成される、請求項１から３のいずれか一項に記載のコーティング。
［請求項５］
前記化学層が、ポリジメチルシロキサンである、請求項１から４のいずれか一項に記載のコーティング。
［請求項６］
前記潤滑剤が、ペルフルオロ油またはシリコーン油または鉱油または植物油またはその任意の組合せである、請求項１から５のいずれか一項に記載のコーティング。
［請求項７］
前記潤滑剤が、シリコーン油である、請求項１から６のいずれか一項に記載のコーティング。
［請求項８］
請求項１から７のいずれか一項に記載のコーティングを備える、便器または男性用小便器。
［請求項９］
請求項１から７のいずれか一項に記載のコーティングを備える、ガラス製の窓。
［請求項１０］
請求項１から９のいずれか一項に記載のコーティングを使用する方法であって、前記コーティングに水性流体を塗布して、その上の固体または液体を取り除くステップを含む、方法。
［請求項１１］
前記化学層に、前記潤滑剤を再度塗布する、または異なる潤滑剤を再度塗布するステップをさらに含む、請求項１０に記載の方法。
［請求項１２］
粘弾性物質を処理する方法であって、請求項１から９のいずれか一項に記載のコーティングに粘弾性物質を接触させるステップと、続いて前記コーティング上の前記粘弾性物質に水性流体を塗布して、前記コーティングから前記粘弾性物質を取り除くステップとを含む、方法。
［請求項１３］
撥性表面を調製する方法であって、前記表面にコーティング組成物を塗布して、前記表面上に化学層を形成するステップと、前記化学層に潤滑剤を塗布するステップとを含む、方法。
［請求項１４］
前記コーティング組成物が、（ｉ）重合性シランもしくはシロキサンまたは両方、（ｉｉ）溶媒、および（ｉｉｉ）触媒を含む、請求項１３に記載の方法。
［請求項１５］
前記化学層に、前記潤滑剤を再度塗布する、または異なる潤滑剤を再度塗布するステップをさらに含む、請求項１３または１４に記載の方法。
【手続補正書】
【提出日】令和2年10月23日(2020.10.23)
【手続補正１】
【補正対象書類名】特許請求の範囲
【補正対象項目名】全文
【補正方法】変更
【補正の内容】
【特許請求の範囲】
【請求項１】
細胞におけるＴＬＲ９の活性化を阻害又は抑制することによる被験体の治療のために使用されるアプタマーであって、該アプタマーは、配列番号１の核酸配列（ＧＧＴＴＧＧＴＧＴＧＧＴＴＧＧ）、及び／又は配列番号１と少なくとも８０％同一である核酸配列を含む、アプタマー。
【請求項２】
治療対象の前記被験体は、ＴＬＲ９過剰発現及び／又はＴＬＲ９媒介性シグナル伝達の過剰活性を示している、請求項１に記載のアプタマー。
【請求項３】
治療対象の前記被験体は、ＴＬＲ９過剰発現及び／又はＴＬＲ９媒介性シグナル伝達の過剰活性の試験で陽性である、請求項１又は２に記載のアプタマー。
【請求項４】
被験体が、ＴＬＲ９過剰発現及び／又はＴＬＲ９媒介性シグナル伝達の過剰活性を示していることは、ＴＬＲ９媒介性のＴＮＦα産生が、参照値である健康な被験体の値よりも高められることである、請求項３に記載のアプタマー。
【請求項５】
治療対象の前記被験体についての前記値は、本明細書に記載される方法を使用して測定され、少なくとも５０ｐｇ／ｍｌである、請求項４に記載のアプタマー。
【請求項６】
前記被験体は、自己免疫障害、炎症性障害、自己免疫結合組織疾患（ＡＣＴＤ）、及び／又は神経変性障害から選択される障害を患っている、請求項１〜５のいずれか一項に記載のアプタマー。
【請求項７】
前記被験体は、乾癬、関節リウマチ、汎発性脱毛症、急性散在性脳脊髄炎、アジソン病、アレルギー、強直性脊椎炎、抗リン脂質抗体症候群、動脈硬化症、アテローム性動脈硬化症、自己免疫性溶血性貧血、自己免疫性肝炎、水疱性類天疱瘡、シャーガス病、慢性閉塞性肺疾患、セリアック病、皮膚エリテマトーデス（ＣＬＥ）、皮膚筋炎、糖尿病、拡張型心筋症（ＤＣＭ）、子宮内膜症、グッドパスチャー症候群、グレーブス病、ギラン・バレー症候群、橋本病、化膿性汗腺炎、特発性血小板減少性紫斑病、炎症性腸疾患、間質性膀胱炎、限局性強皮症、多発性硬化症（ＭＳ）、重症筋無力症、心筋炎、ナルコレプシー、神経ミオトニー、天疱瘡、悪性貧血、多発性筋炎、原発性胆汁性肝硬変、関節リウマチ（ＲＡ）、統合失調症、シェーグレン症候群、全身性エリテマトーデス（ＳＬＥ）、全身性強皮症、側頭動脈炎、脈管炎、白斑、外陰部痛、ウェゲナー肉芽腫症、外傷痛、神経因性疼痛、及びアセトアミノフェン中毒から選択される障害を患っているか、
或いは前記被験体は、腫瘍／癌を患っている、請求項１〜５のいずれか一項に記載のアプタマー。
【請求項８】
前記被験体は、乳癌、子宮頸部扁平上皮癌、胃癌、神経膠腫、肝細胞癌、肺癌、メラノーマ、前立腺癌、再発性神経膠芽腫、再発性非ホジキンリンパ腫、結腸直腸癌からなる群から選択される腫瘍／癌を患っている、請求項１〜５のいずれか一項に記載のアプタマー。
【請求項９】
ＴＬＲ９を発現する細胞とアプタマーとを接触させることを含む、細胞におけるＴＬＲ９の活性化を阻害又は抑制する方法であって、該方法は、ｉｎ  ｖｉｔｒｏ／ｅｘ  ｖｉｖｏで実施され、かつ前記アプタマーは、配列番号１の核酸配列（ＧＧＴＴＧＧＴＧＴＧＧＴＴＧＧ）、及び／又は配列番号１と少なくとも８０％同一である核酸配列を含み、かつ、
前記ｅｘ  ｖｉｖｏの阻害又は抑制がヒトの体内から取り出された検体において起こる場合は、当該検体を当該ヒトの体内に治療のために戻す工程を含まない、方法。
【請求項１０】
前記方法は、前記細胞をＴＬＲ９過剰発現及び／又はＴＬＲ９媒介性シグナル伝達の過剰活性に関して試験する先行工程を更に含む、請求項９に記載の方法。
【請求項１１】
請求項１に記載のアプタマーと、少なくとも１種の薬学的に許容可能な賦形剤とを含む医薬組成物。
【請求項１２】
請求項１に記載のアプタマーと、容器とを含むキット。
【請求項１３】
ＴＬＲ９活性化を阻害又は抑制するための、請求項１に記載のアプタマーの使用であって、前記アプタマーは、ｉｎ  ｖｉｔｒｏ／ｅｘ  ｖｉｖｏで使用される、使用（ただし、前記ｅｘ  ｖｉｖｏの阻害又は抑制がヒトの体内から取り出された検体において起こる場合に、当該検体を当該ヒトの体内に治療のために戻すことを含む方法のための使用を除く）。
【手続補正書】
【提出日】令和2年10月30日(2020.10.30)
【手続補正１】
【補正対象書類名】特許請求の範囲
【補正対象項目名】全文
【補正方法】変更
【補正の内容】
【特許請求の範囲】
【請求項１】
注射するためのシステムであって、
近位開口及び遠位針インターフェースを規定する注射器本体と、
プランジャ内部を規定し、前記注射器本体に対してストッパ部材を挿入するように手動で操作されるように構成されたプランジャ部材であって、
前記プランジャ内部に配置された針保持特徴と、
前記プランジャ内部に配置されたエネルギー貯蔵部材と、
前記プランジャ内部に配置されたエネルギー貯蔵部材ラッチ部材と、を含むプランジャ部材と、
前記注射器本体の前記遠位針インターフェースに連結された針ハブアセンブリであって、
細長針近位部分とカラー部分と近位先端とを含む針近位端特徴を有する針と、
ハブと、
前記ハブに前記針を連結するように構成された針ラッチ部材と、を含む針ハブアセンブリと、を備え、
前記針は、前記エネルギー貯蔵部材ラッチ部材をラッチ状態からラッチ解除状態に変形させるために前記注射器本体に対して前記プランジャ部材を操作すると、少なくとも部分的にプランジャ内部に格納可能であり、
前記エネルギー貯蔵部材ラッチ部材は前記プランジャ部材の内面と前記針保持特徴との間で相互連結され、
前記細長針近位部分が、実質的に一定の第１断面直径を有し、
前記カラー部分が、第２断面直径を有し、
前記第２断面直径が前記第１断面直径より大きく、
前記カラー部分が環状遠位対向面を備え、
前記針保持部材は、前記針が前記針保持特徴に連結された時に、前記環状遠位対向面と協働して前記針保持特徴に対する前記針の遠位側への移動を妨げる複数のラッチ部材を有する受け部材を備え、
前記受け部材は、その遠位端に配置された剛性リングを有する、ことを特徴とする注射するためのシステム。
【請求項２】
前記針が、前記針の格納を開始するために前記ストッパ部材を貫通するように構成される、請求項１に記載のシステム。
【請求項３】
前記針が前記針保持特徴に連結された時、前記環状遠位対向面が、前記針保持特徴に対する前記針の遠位側への移動を妨げるように構成される、請求項１に記載のシステム。
【請求項４】
前記針近位端特徴は近位向きテーパ面をさらに備える、請求項１に記載のシステム。
【請求項５】
前記近位向きテーパ面が近位尖端円錐を規定する、請求項４に記載のシステム。
【請求項６】
前記複数のラッチ部材が２つのラッチ部材から構成され、
前記２つのラッチ部材の各々はアーチ形の断面幾何学的形状を有する、請求項１に記載のシステム。
【請求項７】
前記複数のラッチ部材が４つのラッチ部材から構成される、請求項１に記載のシステム。
【請求項８】
前記受け部材が複数のスリットをさらに有しており、前記複数のスリットの各スリットが前記複数のラッチ部材のうちの２つのラッチ部材の間に配置されている、請求項１に記載のシステム。
【請求項９】
前記受け部材は、前記針近位端特徴が前記受け部材を越えて近位側に移動することができる開放構成と、前記針近位端特徴が前記受け部材を越えて遠位側に移動することができない休止構成と、を有し、
前記受け部材が前記開放構成にある時よりも前記受け部材が前記休止構成にある時に前記複数のラッチ部材は互いにより近い、請求項１に記載のシステム。
【請求項１０】
前記受け部材が前記休止構成にあるように前記複数のラッチ部材が互いにより近くに移動するように付勢される、請求項９に記載のシステム。
【請求項１１】
前記複数のラッチ部材は、前記針近位端特徴が前記受け部材を越えて近位側に移動させられて前記受け部材を前記開放構成に配置する時に互いに離れるように移動するように構成される、請求項９に記載のシステム。
【請求項１２】
前記複数のラッチ部材は、前記受け部材が前記休止構成に戻されるように前記針近位端特徴が前記受け部材を越えて近位方向に移動した時に互いに近くに移動するように付勢され、その結果、前記複数のラッチ部材と前記針近位端特徴の前記環状遠位対向面との間の相互作用が前記針保持特徴に対する前記針の遠位側への移動を妨げる、請求項１１に記載のシステム。
【請求項１３】
前記針近位端特徴は近位開口及び中空内部を含む、請求項１に記載の針アセンブリ。
【請求項１４】
前記針は、管状部材であって、当該管状部材の内部が前記針近位端特徴の前記中空内部に流体連通するように前記近位端特徴に連結された管状部材を備え、
前記管状部材が側面開口を含む、請求項１３に記載のシステム。
【請求項１５】
前記針が、前記ストッパ部材を前記針上で押すために必要な遠位力を増大させるように構成された肩部を備える、請求項１３に記載のシステム。
【請求項１６】
前記近位開口は、前記針近位端特徴の鈍った縁部によって規定される、請求項１３に記載のシステム。
【請求項１７】
前記細長針近位部分が中実である、請求項１に記載のシステム。
【請求項１８】
前記針の前記近位先端が第３断面直径を有し、
前記第１断面直径が前記第３断面直径より大きい、請求項１に記載のシステム。
【手続補正書】
【提出日】令和2年10月30日(2020.10.30)
【手続補正１】
【補正対象書類名】特許請求の範囲
【補正対象項目名】全文
【補正方法】変更
【補正の内容】
【特許請求の範囲】
【請求項１】
注射用システムであって、
近位および遠位の開口部と、遠位カートリッジ本体接合部とを有するカートリッジ本体と、
前記カートリッジ本体の前記遠位カートリッジ本体接合部に結合された遠位カートリッジシールと、
前記カートリッジ本体のカートリッジ内部に配置されたストッパ部材と、
プランジャ内部を有し、前記カートリッジ本体に対して前記ストッパ部材を挿入するように手動で操作されるように構成されたプランジャ部材であって、
前記プランジャ内部に配置された針保持機構と、
前記プランジャ内部に配置されたエネルギー貯蔵部材と、
前記プランジャ内部に配置されたエネルギー貯蔵部材ラッチ部材と、を含むプランジャ部材と、
前記カートリッジ本体の遠位カートリッジ本体接合部に連結された針ハブアセンブリであって、
針近位端機構を有する針と、
ハブと、
前記針が前記ハブに対して近位方向に移動するのを選択的に妨げるように構成された針ラッチ部材とを含む針ハブアセンブリと、
前記針ハブアセンブリ内で前記針の周りに配置された針ハブシールと、
を含み、
前記針ハブシールは、前記ハブ、前記針、及び前記遠位カートリッジシール間に液密シールを形成するように構成され、
前記エネルギー貯蔵部材ラッチ部材をラッチ状態からラッチ解除状態に変更するために、前記カートリッジ本体に対して前記プランジャ部材を操作することにより、前記針近位端機構が前記ストッパ部材を通って近位側に後退し、
前記ハブは、前記針ハブアセンブリを前記カートリッジ本体の前記遠位カートリッジ本体接合部に結合するように構成されたスナップ留め接合部を具え、
前記スナップ留め接合部はスカートを具え、前記遠位カートリッジ本体接合部はフランジを具え、
前記スカートは、前記針ハブアセンブリが前記遠位カートリッジ本体接合部に結合されたときに前記遠位カートリッジ本体接合部を超えて近位方向に延び、それによって前記カートリッジ本体に対する前記針ハブアセンブリの動きを低減することを特徴とする注射用システム。
【請求項２】
前記スカートは、前記フランジと接合して前記針ハブアセンブリを前記カートリッジ本体の前記遠位カートリッジ本体接合部に連結するように構成された拡張可能な近位部分を含み、前記拡張可能な近位部分は、非拡張状態で付勢され、前記フランジを前記拡張可能な近位部分に挿入すると近位リングを弾性的に拡張させて前記フランジが前記拡張可能な近位部分を超えて遠位方向に移動できるようになる、請求項１に記載のシステム。
【請求項３】
前記針近位端機構は、前記遠位カートリッジシールを穿刺し、それによって前記カートリッジ本体の内部と前記針の外部との間に液密シールを形成するように構成されている、請求項１に記載のシステム。
【請求項４】
前記針ハブアセンブリが前記遠位カートリッジ本体接合部に結合されたときに、前記針ハブアセンブリの前記ハブが前記遠位カートリッジシールを実質的に囲むように構成される、請求項１に記載のシステム。
【請求項５】
第２の針ハブアセンブリに配置された第２の針ハブシールをさらに含み、前記第２の針ハブシールの近位部分が、前記カートリッジ本体の前記遠位開口部に挿入され、それによって前記第２の針ハブシールの近位部分と前記カートリッジ本体の前記遠位カートリッジ本体接合部との間に液密シールを形成するように構成されている、請求項１に記載のシステム。
【請求項６】
前記ハブが、当該ハブを通って延びる針を安定化させて、前記カートリッジ本体の遠位開口部を通して前記カートリッジ内部への前記針近位端機構の挿入を容易にするように構成されている、請求項１に記載のシステム。
【請求項７】
前記針ハブシールは、汚染物質が前記針の外面に接触するのを防ぐようにも構成されている、請求項１に記載のシステム。
【請求項８】
前記針ハブシールは、当該針ハブシールを通過する針を安定化させるようにも構成されている、請求項１に記載のシステム。
【請求項９】
前記針ハブシールは、剛性基板とその上に配置された可撓性のガスケットとを含む、請求項１に記載のシステム。
【請求項１０】
前記針ハブシールは、前記針の一部の周りに配置された同心の内側ガスケットと外側ガスケットとを含む、請求項１に記載のシステム。
【請求項１１】
前記内側ガスケットが、前記針の一部の周りに流密シールを形成する、請求項１０に記載のシステム。
【請求項１２】
前記外側ガスケットが、前記針ハブシールと前記カートリッジ本体の前記遠位カートリッジ本体接合部との間の第１の液密シールと、前記針ハブシールと前記ハブとの間の第２の液密シールとを形成する、請求項１０に記載のシステム。
【請求項１３】
前記針ハブシールは、当該針ハブシールが前記針を遠位方向に移動させるのに必要な力を増大させるように構成される、前記針ハブアセンブリ内の近位状態と、前記針ハブシールが前記針を遠位方向に移動させるのに必要とされる力に最小限の影響を与えるように構成される、前記針ハブアセンブリ内の遠位状態とを有する、請求項１に記載のシステム。
【請求項１４】
前記カートリッジ本体を前記針ハブアセンブリ内に移動させると、前記針ハブシールが前記近位状態から前記遠位状態に移行する、請求項１３に記載のシステム。
【請求項１５】
前記針ハブシールが、前記針を中心に合わせるように構成されている、請求項１に記載のシステム。
【請求項１６】
前記針近位端機構は、前記針ハブシールを通過し、それによって前記針ハブシールの内部と前記針の外部との間に液密シールを形成するように構成されている、請求項１に記載のシステム。
【請求項１７】
前記針ハブシールが前記遠位カートリッジシールの遠位にある、請求項１に記載のシステム。
【請求項１８】
前記針ハブシールが前記遠位カートリッジシールに隣接する、請求項１に記載のシステム。
【手続補正書】
【提出日】令和2年10月20日(2020.10.20)
【手続補正１】
【補正対象書類名】特許請求の範囲
【補正対象項目名】全文
【補正方法】変更
【補正の内容】
【特許請求の範囲】
【請求項１】
心臓の生来の弁輪に弁プロテーゼを送達する方法であって、前記生来の弁が腱索を有し、前記方法が、
前記心臓の心室内に索管理カテーテルを位置付ける工程であって、前記索管理カテーテルは、その遠位端に変位バルーンを有し、前記変位バルーンは、その内部を通る中央内腔を画定する環状構成要素である、工程と、
前記変位バルーンを前記心室内で膨張させて、腱索を半径方向外向きに押す工程と、
弁送達システムを、前記心臓の心室壁を介して前記心臓の前記心室に導入する工程であって、前記弁送達システムは、その遠位部分に前記弁プロテーゼを有し、前記弁プロテーゼは送達構成である、工程と、
前記膨張した変位バルーンの前記中央内腔を通って、前記心臓の前記生来の弁輪に向かって前記弁送達システムを前進させる工程と、
前記弁プロテーゼを展開して、前記生来の弁輪と並置する工程と、を含む、方法。
【手続補正書】
【提出日】令和2年9月23日(2020.9.23)
【手続補正１】
【補正対象書類名】特許請求の範囲
【補正対象項目名】全文
【補正方法】変更
【補正の内容】
【特許請求の範囲】
【請求項１】
低糖高繊維食品を調製するためのプロセスであって、出発食品の糖度を低下させ、単糖類若しくは二糖類を少なくとも１種類のオリゴ糖及び／又は多糖類に変換するのに活性のある少なくとも一種類の微生物細胞と、糖又は糖を含む組成物を含有する出発食品とを接触させ、それによって、前記出発食品と比較して糖度が低下し、少なくとも１種類のオリゴ糖及び／又は多糖類の含量が増加した加工食品を取得する工程を含む、プロセス。
【請求項２】
前記微生物細胞が、死細胞、生細胞及びこれらの組み合わせからなる群から選択される、請求項１に記載のプロセス。
【請求項３】
前記微生物細胞が死んだ微生物細胞である、請求項１〜２のいずれか一項に記載のプロセス。
【請求項４】
前記死んだ微生物細胞が固定される、請求項３に記載のプロセス。
【請求項５】
前記微生物細胞が、酵母細胞、細菌細胞、真菌細胞及びこれらの任意の組み合わせからなる群から選択される、請求項１〜４のいずれか一項に記載のプロセス。
【請求項６】
前記微生物細胞が、キサントフィロミセス・デンドロロウス（Ｘａｎｔｈｏｐｈｙｌｌｏｍｙｃｅｓ ｄｅｎｄｒｏｒｈｏｕｓ）、クルイベロミセス・ラクチス（Ｋｌｕｙｖｅｒｏｍｙｃｅｓ ｌａｃｔｉｓ）、オガタエア・ポリモルファ（Ｏｇａｔａｅａ ｐｏｌｙｍｏｒｐｈａ）、メツシュニコウィア・フルクチコラ（Ｍｅｔｓｃｈｎｉｋｏｗｉａ ｆｒｕｃｔｉｃｏｌａ）、サッカロマイセス・セレビシエ（Ｓａｃｃｈａｒｏｍｙｃｅｓ ｃｅｒｅｖｉｓｉａｅ）、オリーブから単離された酵母及びこれらの任意の組み合わせからなる群から選択される酵母の細胞である、請求項５に記載のプロセス。
【請求項７】
前記細菌細胞が、ザイモモナス・モビリス（Ｚｙｍｏｍｏｎａｓ ｍｏｂｉｌｉｓ）、バチルス・リケニフォルミス（Ｂａｃｉｌｌｕｓ ｌｉｃｈｅｎｉｆｏｒｍｉｓ）、パエニバチルス・ポリミキサ（Ｐａｅｎｉｂａｃｉｌｌｕｓ ｐｏｌｙｍｙｘａ）、アセトバクター・キシリナム（Ａｃｅｔｏｂａｃｔｅｒ ｘｙｌｉｎｕｍ）、サルシナ・ヴェントリクリ（Ｓａｒｃｉｎａ ｖｅｎｔｒｉｃｕｌｉ）、グルコノバクター・キシリナス（Ｇｌｕｃｏｎｏｂａｃｔｅｒ ｘｙｌｉｎｕｓ）、シュードモナス種＃１４２、ミクロバクテリウム・レバニフォルマンス（Ｍｉｃｒｏｂａｃｔｅｒｉｕｍ ｌａｅｖａｎｉｆｏｒｍａｎｓ）、バチルス・ズブチリス（Ｂａｃｉｌｌｕｓ ｓｕｂｔｉｌｉｓ）、バチルス・マセランス（Ｂａｃｉｌｌｕｓ ｍａｃｅｒａｎｓ）、ストレプトコッカス・サリバリウス（Ｓｔｒｅｐｔｏｃｏｃｃｕｓ Ｓａｌｉｖａｒｉｕｓ）、ロイコノストック・メセンテロイデス（Ｌｅｕｃｏｎｏｓｔｏｃ ｍｅｓｅｎｔｅｒｏｉｄｅｓ）、アエロバクター・レバニカム（Ａｅｒｏｂａｃｔｅｒ ｌｅｖａｎｉｃｕｍ）及びこれらの任意の組み合わせからなる群から選択される、請求項５〜６のいずれか一項に記載のプロセス。
【請求項８】
前記真菌細胞の種は、アスペルギルス・ジャポニカス（Ａｓｐｅｒｇｉｌｌｕｓ ｊａｐｏｎｉｃｕｓ）、アスペルギルス・ニガー（Ａｓｐｅｒｇｉｌｌｕｓ ｎｉｇｅｒ）、アスペルギルス・フォエティダス（Ａｓｐｅｒｇｉｌｌｕｓ ｆｏｅｔｉｄｕｓ）、アスペルギルス・オリザ（Ａｓｐｅｒｇｉｌｌｕｓ ｏｒｙｚａｅ）、オーレオバシジウム・プルランス（Ａｕｒｅｏｂａｓｉｄｉｕｍ ｐｕｌｌｕｌａｎｓ）、スクレロティニア・スクレロチオラム（Ｓｃｌｅｒｏｔｉｎｉａ ｓｃｌｅｒｏｔｉｏｒｕｍ）及びスコプラリオプシス・ブレビカウリス（Ｓｃｏｐｕｌａｒｉｏｐｓｉｓ ｂｒｅｖｉｃａｕｌｉｓ）からなる群から選択される、請求項５〜７のいずれか一項に記載のプロセス。
【請求項９】
前記出発食品が、糖を含有する天然ジュース及びすぐ飲める製品からなる群から選択される、請求項１〜８のいずれか一項に記載のプロセス。
【請求項１０】
前記死んだ固定化微生物細胞が、ベッド又はカラムに充填されている、請求項４に記載のプロセス。
【請求項１１】
前記プロセスがさらにエタノール除去工程を含む、請求項１〜１０のいずれか一項に記載のプロセス。
【請求項１２】
前記加工食品が、前記出発食品中の糖度と比較して、グルコース、フルクトース、スクロース及びこれらの任意の組み合わせからなる群から選択される量が低下した糖を含有する、請求項１〜１１のいずれか一項に記載のプロセス。
【請求項１３】
前記加工食品が、前記出発食品中の量と比較して、量が増加した少なくとも１種類のオリゴ糖、少なくとも１種類の多糖、少なくとも１種類の糖アルコール、グルコン酸及びこれらの任意の組み合わせを含有する、請求項１〜１２のいずれか一項に記載のプロセス。
【請求項１４】
出発未加工食品と比較して、糖度が低下し、オリゴ糖及び／又は多糖含量が増加した、請求項１〜１３のいずれか一項に記載のプロセスにより生成される、加工食品。
【請求項１５】
前記加工食品が、基本的に微生物細胞を欠く、請求項１４に記載の加工食品。
【請求項１６】
前記加工食品が、基本的に遊離酵素又は複数の遊離酵素を欠く、請求項１４〜１５のいずれか一項に記載の加工食品。
【請求項１７】
対応する未加工食品と比較して、糖及びカロリー含量が低下し、オリゴ糖及び／又は多糖含量が増加し、口当たりの良い味を有する加工食品であって、前記多糖がフルクタン及びフラクトオリゴ糖（ＦＯＳ）からなる群から選択され、さらにソルビトール及びグルコン酸のうちの少なくとも１つを含む、加工食品。
【請求項１８】
対応する未加工食品と比較して、フルクトース、グルコース及びスクロースのうちの少なくとも１つの含量が低下した、請求項１７に記載の加工食品。
【請求項１９】
前記加工食品が、基本的に遊離酵素又は複数の遊離酵素を欠く、請求項１７〜１８のいずれか一項に記載の加工食品。
【請求項２０】
前記加工食品がジュース飲料である、請求項１７〜１９のいずれか一項に記載の加工食品。